(57)【特許請求の範囲】
【請求項１】
軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容した筆記体のペン先が該軸筒の前端孔より突出した状態となる熱変色性筆記具であって、前記回転カムを上方の小径部と下方の大径部とを有した筒状に形成し、前記固定カムの上方に前記軸筒の後端開口から突出する筒部を形成し、前記摩擦部材を前記回転カムの小径部および前記固定カムの筒部へ挿通し、前記回転カムに形成した係止部と前記摩擦部材に形成した係止受部とを係止させると共に該回転カムの大径部内に該摩擦部材の前端部を突出させ、前記筆記体の後端部を前記回転カムの大径部内に遊嵌させると共に、該筆記体の後端部を前記摩擦部材の前端部に当接させたことを特徴とする熱変色性筆記具。
【請求項２】
摩擦部材の前端に複数の小突起を形成したことを特徴とする請求項１に記載の熱変色性筆記具。
【請求項３】
前記ノック体が、前記摩擦部材を被覆可能なカバーを有し、前記カバーの下部を前記固定カムの上部に嵌着させた状態で、前記カバーの下部と前記固定カムに形成した段部とが当接することを特徴とした請求項１または２に記載の熱変色性筆記具。
【発明の詳細な説明】
【技術分野】
【０００１】
本発明は、熱変色性筆記具に関し、詳細には、軸筒の後端開口から突出する弾性材料からなる摩擦部材を有したノック体を操作することにより、軸筒内に配設した固定カムを前進させると共に当該軸筒内に配設した回転カムを回動させ、軸筒の内部に収容した筆記体のペン先が該軸筒の前端孔より突出した状態となる熱変色性筆記具に関する。
【背景技術】
【０００２】
特許文献１および特許文献２には、ペン先から熱変色性インキを吐出可能な筆記体を、軸筒内に前後方向へ移動可能に収容させ、軸筒後方のノック体を前方へ押動することにより、軸筒内に配設したコイルスプリングの弾発力に抗して、筆記体のペン先を軸筒の前端孔から突出させる熱変色性筆記具が開示されている。
特許文献１の熱変色性筆記具では、ノック体を弾性材料から一体で形成して外面に摩擦部を形成しており、特許文献２の熱変色性筆記具では、ノック体の外面に弾性材料からなる摩擦部を外皮として形成している。特許文献１および特許文献２の熱変色性筆記具は、弾性材料からなるノック体の摩擦部で熱変色性インキにより紙面等に形成された筆跡を摩擦して、その際に生じる摩擦熱により前記熱変色性インキの筆跡を熱変色させるものである。
このようなことから、ノック体に摩擦部を設けた熱変色性筆記具においては、摩擦を行いやすくするために、ノック体に設けた摩擦部が摩擦時に変形したり揺れ動かないようにすることが求められている。
また特許文献２の熱変色性筆記具では、ペン先の突出状態を解除した際に、ノック体が後退する時の衝撃が、ノック体の外面に設けた弾性材料からなる係止部を、軸筒の後端内面に形成した規制部に当接させることで緩和され、衝撃によって筆記体のインキが後退してペン先より筆記体内に空気が混入してしまうことが防止できる構造となっている。
【先行技術文献】
【特許文献】
【０００３】
【特許文献１】特開２０１１−１５６８２６号公報
【特許文献２】特開２０１１−２３０４７４号公報
【発明の概要】
【発明が解決しようとする課題】
【０００４】
本発明では、ノック体に設けた弾性材料からなる摩擦部材が、摩擦時に変形したり揺れ動き難くすると共に、ペン先の突出状態を解除した際に筆記体が後退する際の衝撃を緩和することができる構造の熱変色性筆記具を得ることを目的とした。
【課題を解決するための手段】
【０００５】
本発明は、
「１．軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容した筆記体のペン先が該軸筒の前端孔より突出した状態となる熱変色性筆記具であって、前記回転カムを上方の小径部と下方の大径部とを有した筒状に形成し、前記固定カムの上方に前記軸筒の後端開口から突出する筒部を形成し、前記摩擦部材を前記回転カムの小径部および前記固定カムの筒部へ挿通し、前記回転カムに形成した係止部と前記摩擦部材に形成した係止受部とを係止させると共に該回転カムの大径部内に該摩擦部材の前端部を突出させ、前記筆記体の後端部を前記回転カムの大径部内に遊嵌させると共に、該筆記体の後端部を前記摩擦部材の前端部に当接させたことを特徴とする熱変色性筆記具。
２．摩擦部材の前端に複数の小突起を形成したことを特徴とする前記１項に記載の熱変色性筆記具。
３．前記ノック体が、前記摩擦部材を被覆可能なカバーを有し、前記カバーの下部を前記固定カムの上部に嵌着させた状態で、前記カバーの下部と前記固定カムに形成した段部とが当接することを特徴とした前記１項または２項に記載の熱変色性筆記具。」である。
【０００６】
摩擦部材を成形する弾性材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。尚、前記摩擦部材を成形する弾性材料は、高摩耗性の弾性材料（例えば、消しゴム等）よりも、摩擦時に消しカスが生じない低摩耗性の弾性材料が好ましい。また、固定カムと回転カムは弾性材で形成された摩擦部材を支持させるために、硬質樹脂や金属など硬質材料で形成すればよい。
【０００７】
回転カムに形成する係止部と摩擦部材に形成する係止受部との関係は、例えば回転カムの内側面に係止凸部または係止凹部を形成し、摩擦部材の外側面に前記係止凸部と係止する係止凹部または係止凸部を形成して互いを係止させることで得ることができ、あるいは回転カムの筒部の内側面に雌螺子部を形成し、摩擦部材の外側面に雄螺子部を形成して互いを螺合することでも得ることができる。
【発明の効果】
【０００８】
本発明の熱変色性筆記具によれば、ノック体に設けた摩擦部材の外側面が軸筒の後端開口から突出する固定カムに形成した筒部で支持されるので、摩擦時において摩擦部材が変形したり揺れ動くことを防止し、筆記体の後端を前記摩擦部材の前端に当接させることで
ペン先の突出状態を解除した際に筆記体が後退する際の衝撃を緩和することができる。
さらに摩擦部材の前端に複数の小突起を形成することで、ペン先の突出状態を解除した際に筆記体が後退する際の衝撃をさらに緩和することができ、また筆記時に過度な筆圧が掛かった際には、摩擦部材の前端に形成した複数の小突起が変形するように筆記体が後退することで、ペン先を保護することが可能となる。
さらに摩擦部材をカバーで被覆することで、摩擦部材に触れることなくカバーを押動しての操作が可能となり、紙面等に接触する摩擦部材が汚れることを防止でき、また回転カムと共に回転してしまう摩擦部材に触れないことから、回転カムの作動を妨げることがないものとなる。
【図面の簡単な説明】
【０００９】
【図１】本実施例のボールペンにおける筆記体のペン先を軸筒の内部に収容した状態を示した断面図である。
【図２】本実施例のボールペンにおける筆記体のペン先を軸筒の前端開口より突出させた状態を示した断面図である。
【図３】本実施例のボールペンの要部を示した分解図である。
【図４】本実施例のボールペンで筆記を行っている状態を示した斜視図である。
【図５】本実施例のボールペンからカバーを外した状態を示す断面図である。
【図６】本実施例のボールペンで摩擦を行っている状態を示した斜視図である。
【発明を実施するための最良の形態】
【００１０】
次に図面を参照しながら、本実施例の熱変色性筆記具について説明を行う。尚、本実施例では、熱変色性筆記具としてボールペンについての説明を行うが、本発明は以下の実施例に限定されるものではない。また、図中の同じ部材、同じ部品については、同じ符号としてある。図中においてペン先がある側を前方とし反対側を後方として表現する。
【実施例】
【００１１】
図１〜図３を用いて、本実施例のボールペン構造について説明を行う。
図１は本実施例のボールペンにおける筆記体のペン先を軸筒の内部に収容した状態を示した断面図である。図２は本実施例のボールペンにおける筆記体のペン先を軸筒の前端開口より突出させた状態を示した断面図である。図３は本実施例のボールペンの要部を示した分解図である。
ボールペン１は、前軸２と後軸３とを螺合して形成した軸筒４内に、レフィル５を収容してある。レフィル５は、ボールペンチップをペン先６とし、ペン先６の後方にインキ収容筒７を装着してあり、軸筒４内に配したコイルスプリング８にて後方へ弾発され、軸筒４の後端開口４ａから突出した摩擦部材９を有したノック体１０を前方へ押動するように操作することによって、軸筒４の前端開口４ｂからペン先６を出没させることができる構造である。
【００１２】
軸筒４の内部には、従来構造の回転カム機構が設けられており、後軸３の後端部３ａの内壁面には複数のカム溝１１を形成してあり、前方に山型状の凹凸部１２ａを形成し、外周面に前記カム溝１１に係合する複数の突起１２ｂを有した固定カム１２を配設し、固定カム１２の前方に、前記カム溝１１に係合する複数のカム突起１３ａを外周面に周状に形成し、前記固定カム部１２の凹凸部１２ａに噛合う噛合部１３ｂを有した回転カム１３を配設してあり、カム突起１３ａはカム溝１１に係止して回転カム１３はカム溝１１に沿って前後に移動可能としてある。
回転カム１３は下方の大径部１３１ｃと上方の小径部１３２ｃとを形成してあり、小径部１３２ｃを固定カム１２の開口部１２ｃに挿通してある。また固定カム１２の後方には、軸筒４の後端開口４ａから突出する筒部１２ｄを形成してある。
【００１３】
本実施例のボールペン１は、図１に示した状態のノック体１０を前方へ押動するように操作することで、固定カム１２の前進に伴い回転カム１３のカム突起１３ａがカム溝１１の前端に移動し、固定カム１２の凹凸部１２ａの傾斜により回転カム１３のカム突起１３ａのカム斜面１３ｄがカム溝１１のカム斜面１１ａを滑り、レフィル５を介してコイルスプリング８で後方へ弾発された回転カム１３のカム突起１３ａが複数のカム溝１１間に形成された係合部１１ｂに係合して、ペン先６を軸筒４の前端開口４ｂから突出させた状態で維持することができ、図２に示した状態のノック体１０を再度前方へ押動するように操作することで、回転カム１３のカム突起１３ａとカム溝１１間の係合部１１ｂの係合状態を解除して、回転カム１３のカム突起１３ａと固定カム１２の突起１２ｂをカム溝１１の後方へ後退させ、図１に示した状態のようにペン先６を軸筒４の内部に収容させることができる。
【００１４】
また摩擦部材９は、下方の外側面９ａに係止凹部９ｂを形成してあり、摩擦部材９の係止凹部９ｂに対して回転カム１３の小径部１３２ｃの内面に形成した係止凸部１３３ｃを係止させ、回転カム１３の大径部１３１ｃ内に摩擦部材９の前端部９ｃを突出させ、レフィル５の後端部５ａを回転カム１３の大径部１３１ｃ内に遊嵌させると共に、レフィル５の後端部５ａを摩擦部材９の前端部９ｃに当接させている。
尚、軸筒４の前端開口４ｂからペン先６を突出させた図２の状態から軸筒４の内部にペン先６を収容させた図１の状態になる際には、圧縮されていたコイルスプリング８が解放されることでレフィル５が勢いよく後方へ弾発されるが、前述の通り、レフィル５の後端部５ａが摩擦部材９の前端部９ｃに当接していることから衝撃を緩和することができ、本実施例では摩擦部材９の前端部９ｃに複数の円筒状の小突起９ｄを形成してあることから、さらに衝撃を吸収することができると共に、筆記時に過度な筆圧が掛かった際には、凹凸部９ｄが変形するようにレフィル５が後退することでペン先６を保護することができる。
【００１５】
ノック体１０は、摩擦部材９をカバー１４で被覆しており、カバー１４を固定カム１２の筒部１２ｄに嵌着させた状態で、カバー１４の下部１４ａと固定カム１２に形成した段部１２ｅとが当接するので、ノック体１０の一部であるカバー１４を押動することで固定カム１２を前進させることができる構造としてあり、回転カム１３と共に回動してしまう摩擦部材９に触れずにノック操作を行えることから、回転カム１３の作動が妨げられることはない。
また、カバー１４は透明な硬質樹脂で形成しており、カバー１４を透して摩擦部材９をを見ることができ、摩擦部材９をインキ収容筒７内に収容したインキ色と同じ色としたことから、摩擦部材９の色にてボールペン１の筆記色を確認することができ便利である。
図４に示すように、本実施例のボールペン１は、軸筒４の前端開口４ｂから突出させたペン先６で紙面１００に熱変色性インキの筆跡１０１を形成することができた。
【００１６】
次に、図５および図６を用いて、本実施例のボールペンで摩擦を行う状態についての説明を行う。図５は本実施例のボールペンからカバーを外した状態を示す断面図である。
図５に示すように本実施例のボールペンは、摩擦部材９の外側面９ａが固定カム１２に形成した筒部１２ｄで支持されるので、図６に示した摩擦部材９による摩擦時においても、摩擦部材９が変形したり揺れ動くことを防止することができた。
【００１７】
さらに、摩擦部材９にカバー１４を被覆したことで、摩擦部材９に触れることなくカバー１４を押動する操作が可能となり、摩擦時において紙面１００に接触する摩擦部材９の汚れを防止することができた。
【符号の説明】
【００１８】
１…ボールペン、２…前軸、
３…後軸、３ａ…後端部、
４…軸筒、４ａ…後端開口、４ｂ…前端開口、
５…レフィル、６…ペン先、
７…インキ収容筒、８…コイルスプリング、
９…摩擦部材、９ａ…外側面、９ｂ…係止凹部、
９ｃ…前端部、９ｄ…小突起、
１０…ノック体、
１１…カム溝、１１ａ…カム斜面、１１ｂ…係合部、
１２…固定カム、１２ａ…凹凸部、１２ｂ…突起、
１２ｃ…開口部、１２ｄ…筒部、１２ｅ…段部、
１３…回転カム、１３ａ…カム突起、１３ｂ…噛合部、
１３１ｃ…大径部、１３２ｃ…小径部、１３３ｃ…係止凸部、
１３ｄ…カム斜面、
１４…カバー、１４ａ…下部、
１００…紙面、１０１…筆跡。
【図１】
0006400432.tif 000002
【図２】
0006400432.tif 000003
【図３】
0006400432.tif 000004
【図４】
0006400432.tif 000005
【図５】
0006400432.tif 000006
【図６】
0006400432.tif 000007